(57)【要約】【課題】本発明は、良好なスイング基礎を固めることが可能なゴルフスイングの重点基礎練習補助器を提供する。【解決手段】本発明はゴルフスイングの重点基礎練習補助器であって、ゴルフのテイクアウェイ及びフォロースルー時のシャフトの角度の練習に応用でき、打者の足の後ろのかかとの部分平行に設けられた一つの底板と、前記底板の両側に枢設されたそれぞれ一つの回転軸と、からなり、且つ回転軸は足の裏に沿って外側に予め定められた最も良い角度で前方に向かって延伸させる。前記回転軸を利用して、テイクアウェイ及フォロースルーのシャフトの角度を有形の方式で対応して表し、打者がスイング重点基礎練習時に、適時に具体的にシャフト角度の正確性を見ることができると同時に、身体の正確な回転をガイドでき、ヘッドを正確なスイング軌道上に置き、これによってマッスルメモリーを強化するとともに学習効果を高め、良好なスイング基礎を固めることが可能である。【選択図】図３
2019017979.tif 000002
【特許請求の範囲】
【請求項１】
一つの底板と、二本の回転軸と、からなるゴルフスイングの重点基礎練習補助器であって、
前記底板はゴルフスイング練習者の足の後ろのかかとの部分に平行に設けられ、
前記回転軸は、底板の両側に可動に枢設されるとともに、予め定めた角度で足の裏の外側に沿って前に向かって延伸して設けられ、スイング重点基礎練習中に、テイクアウェイ及びフォロースルー時のシャフト角度の対応軸を形成し、
これによって、スイング練習時にシャフト角度の正確性を具体的に観察すると同時に、身体の正確な回転を指導することができ、ヘッドを正確なスイング軌道上に置き、それによってマッスルメモリーを強化するとともに学習効果を高め、良好なスイングの基礎を固める
ことを特徴とするゴルフスイングの重点基礎練習補助器。
【請求項２】
前記底板は、左右二つの対応したプレートからなり、
プレートの側縁には対応した外管がそれぞれ設けられ、
前記外管は一つの内管の両端でスライド可能であり、左右に伸縮移動して幅が調整できる一つの底板を形成する
ことを特徴とする、請求項１に記載のゴルフスイングの重点基礎練習補助器。
【請求項３】
各プレートの外管上には一つのつまみが設けられ、プレートを必要な幅に調整してから締めて固定させる
ことを特徴とする、請求項２に記載のゴルフスイングの重点基礎練習補助器。
【請求項４】
前記底板における各回転軸と枢接する箇所に、軸心に沿って作動端の外に向かって広がった一枚の平板が設けられ、
平板上には回転軸に角度を設定させるのに用いる角度の目盛りが設けられる
ことを特徴とする、請求項１または２に記載のゴルフスイングの重点基礎練習補助器。
【請求項５】
前記角度の目盛りは平板に直接刻印する、または、貼り付ける方式で設置される
ことを特徴とする、請求項４に記載のゴルフスイングの重点基礎練習補助器。
【請求項６】
各回転軸は、作動端に向かって伸縮可能な一本のスティックである
ことを特徴とする、請求項１または２に記載のゴルフスイングの重点基礎練習補助器。
【請求項７】
各回転軸の作動端には、一本の延伸バーが取り付けられる
ことを特徴とする、請求項１または２に記載のゴルフスイングの重点基礎練習補助器。
【発明の詳細な説明】
【技術分野】
【０００１】
本発明は、ゴルフスイング練習の補助設備に関し、特にテイクアウェイ及びフォロースルー時のシャフト角度の正確性を具体的な形で観察でき、これによって、筋肉の記憶及び良好なスイング基礎を固めて強化することができるように設計されたスイング重点基礎練習補助器に関する。
【背景技術】
【０００２】
ゴルフというスポーツに関わる人であれば皆知っていることであるが、ゴルフのスイング動作は、クラブを振り上げる前の立った姿勢からトップまでのテイクアウェイ（上半身が下半身を動かす）、さらにトップからダウンスイングの動作に変わりインパクトに至るまで、そしてフォロースルーから最後のフィニッシュ（下半身が上半身を動かす）まで、頭部の位置、腕、手首、肩及び腰の回転から両足の重心の移動等に至るまでの全身の動作が相互に連係することが必要であり、さらに姿勢の角度の正確性によって、完璧にヘッドの力を放出させ正確且つ強烈なナイスショットを打つことができる。これら一連のスイング動作は、すべて身体の頭から足に至る各部位の筋肉が相互に協調し合い、全体として一致し、一つの非常に流れるようにスムーズで且つ技巧性を備えたフォームであることが必要であり、奥深いところまでマスターするには不断の継続的な反復練習によることが必要であり、筋肉運動によってマッスルメモリーさせることで、スムーズ且つ自然に予め定まったフォームを発揮させることが可能になる。
【０００３】
またスイングフォーム全体の過程のうち、テイクアウェイ及びフォロースルー時の動作が最も重要であり、すべてのフォームにつながる基礎であり、スイングフォーム全体の核心となる部分であり、特に初学者について言えば、正確なテイクアウェイ及びフォロースルーの角度の重点基礎訓練は更に特に重要である。
【発明の概要】
【発明が解決しようとする課題】
【０００４】
本発明は、テイクアウェイ及びフォロースルーの時にシャフトの角度を有形の方式で対応して表し、使用者がシャフト角度の正確性を具体的に観察することができるようにするとともに、身体の正確な回転をガイドし、ヘッドが正確なスイング軌道上を通るようにし、それによってマッスルメモリーを強化するとともに学習効果を高め、これによって、良好なスイングの基礎を固めることができるゴルフスイングの重点基礎練習補助器を提供することを目的とする。
【課題を解決するための手段】
【０００５】
上記の目的を達成するための本発明は主に、一つの底板と、二本の回転軸と、からなる。その内、前記底板はゴルフスイング練習者の足の後ろのかかとの部分に平行に設けられ、また前記回転軸は底板の両側にそれぞれ枢設され、且つ足の裏の外側に沿ってテイクアウェイ及びフォロースルー時にシャフトの最も良い予め定めた角度で前方に向かって延伸する。これによって、両側の回転軸が形成する角度を利用して設け、テイクアウェイ及びフォロースルー時にシャフト角度を有形の方式で対応して表し、それによって、使用者がスイング重点基礎練習時に、打者自身またはコーチがそばから適時且つ具体的にテイクアウェイ及びフォロースルーのシャフト角度が正確かどうかを見ることができるとともに、適時に修正改善を加え、同時に身体の回転を正確にガイドし、不必要で余計な回転を取り除くことができ、それによって、ヘッドが正確なスイング軌道上を通過するようにする。
【発明の効果】
【０００６】
上記の方法によって、マッスルメモリーを強化するとともに学習効果を高めて、良好なスイングの基礎を固め、技能を増進させることが可能である。
【図面の簡単な説明】
【０００７】
【図１】本発明の構造を分解した状態を示す立体図である。
【図２】本発明の立体外観概略図である。
【図３】本発明を使用した状態を示す概略図である。
【図４】本発明のテイクアウェイ動作を修正した状態を示す概略図である。
【図５】本発明のショットの瞬間の動作を示す概略図である。
【図６】本発明のフォロースルー動作を修正した状態を示す概略図である。
【図７】本発明のテイクアウェイからフォロースルーの動作までを示す概略図である。
【発明を実施するための形態】
【０００８】
図１から図３を参照する。本発明の示すゴルフスイングの重点基礎練習補助器は、主に一つの底板１０と、二本の回転軸２０と、からなる。その内、前記底板１０はゴルフスイング打者３０の足の後ろのかかとの部分に平行に設けられ、前記回転軸２０は角度調整できるように底板１０の両端にそれぞれ枢設されるとともに、打者３０の足の裏の外側に沿って予め定められた角度で前方に向かって延伸し、これによってテイクアウェイ及びフォロースルーの時にシャフト３１の角度の対応線をなす。
【０００９】
好ましい本実施例において、上述した底板１０は、更に左右二つの対照をなすプレート１０ａ、１０ｂを備え、また各プレート１０ａ、１０ｂの側縁には一つの対応した外管１１がそれぞれ設けられるとともに、外管１１は一つの内管１２の両端にスライド可能なように設置され、これによって左右に伸縮移動が可能であり且つ幅が調整できる一つの底板１０を構成する。これによって、さまざまな体形の使用者の個人の必要に応じて、最も適切な幅に調整できることで、本発明の応用性が高まる。さらに、各プレート１０ａ、１０ｂの外管１１の適当なところに、更につまみ１３が設けられ、プレートを必要な幅に調整してから締めて固定させる。さらに、本発明の底板１０は各回転軸２０の枢接部に軸心に沿って回転軸の作動端に向かい、更に外に向かって延伸して広がった一つの平板１４が設けられるとともに、前記平板１４上に直接刻印する、または、貼る方式で一つの角度の目盛り１５が設けられ、回転軸２０が角度を調整し設定する時に対応して用いられる。
【００１０】
好ましい本実施例において、前記回転軸２０は、組立て及び使用上の便利性のために、前記回転軸２０を底板１０上に枢設された一対の短いスティックとして設計するともに、各回転軸２０の作動端にねじで締める方式で一つの延伸バー２１を接続させ、これによって回転軸２０全体の長さを延長して使用することができる。もし使用しないのであれば取り外し可能であり、全体の体積を少なくして収納しやすくする。さらに、実際に実施時に回転軸２０を一つの伸縮可能なスティックとして設計し、使用時に直接作動端に向かって引っ張り出しスティックの長さを延伸させることができる。
【００１１】
図３を参照する。本発明を実施する時、底板１０を個人の体形の必要に応じて最も適切な幅に調整するとともに、打者３０の足の後ろのかかとの部分に沿って平行に設置し、同時に打者３０の左右両側に位置する回転軸２０をテイクアウェイ及びフォロースルー時にシャフト３１の必要とされる正確な角度の位置に調整するとともに、ショットの体勢を準備し、スイング重点基礎練習を行うことが可能である。
【００１２】
図４〜７を参照する。本発明のスイング重点基礎練習は主に身体を１８０度だけ回転させて（テイクアウェイ９０度からフォロースルー９０度の間）練習することを基本とする（図７を参照する）。テイクアウェイの時、打者３０（右打者）の両腕、肘は頭部を中心軸として回して移動させる必要があり、同時に正確な肩、身体の回転及び重心の移動と合わさって、スムーズにシャフト３１を右側に動かし（左腕は自然に直線を保ち、右腕をわずかに曲げる）、ヘッド３２が腰の高さに達した時、シャフト３１を地面と平行にする（図７を参照する）。この時、打者３０は自分でまたはコーチによって、テイクアウェイシャフト３１が対応して右側回転軸２０に平行かどうかをそばから観察することができる（図４を参照する）。もし偏っている場合は直ちに姿勢の修正を行うとともに、すぐに問題の所在に気づき、テイクアウェイのシャフト３１を右側の回転軸２０に平行になるようにさせることが可能である。
【００１３】
ダウンスイング時、正確な腰の回転及び重心の移動に対応して、軸心を動かして肩を回す動作が、両手がシャフト３１をスムーズに左側に振るとともに、正確にヘッド３２がショットゾーン（図５を参照する）を通過し、ヘッドの力を放出させこれによって正確且つ安定してショットできるという効果がある。
【００１４】
最後にフォロースルーの過程において、身体が左に向かって回転し続けるとともに、重心を左足に移動させ、且つ左足は直立し右膝は左に向かって寄り、右肩が下に沈み、それに伴い正面の目標に向かって身体は回転し、手首を十分に伸ばしてシャフト３１に地面と平行になるようにする（図７を参照する）。この時、フォロースルーシャフト３１が正確な角度で左側の回転軸２０に平行に対応しているかどうかをもう一度観察することができ（図６を参照する）、それによって、身体の正確な回転をガイドし、ヘッドが正確なスイング軌道を保つことができるようにする。
【００１５】
上記からわかるように、本発明のゴルフスイングの重点基礎練習補助器は、以下のような実用的なメリットを備える。
【００１６】
１、前記補助器によって、無形のテイクアウェイ及びフォロースルーの角度を有形に変換して具体的に表すことが可能であり、それによって効果的にショットフォームの問題の所在に気づくとともに、適時に修正及び改善を加え、学習効果を高め、技能を増進させることが可能である。
【００１７】
２、前記補助器の練習によって、身体の正確な回転を正確に指導することが可能であり、同時に不必要で余分な回転を除くとともに、ヘッドを正確なスイング軌道上に置き、これによって良好なスイングリズムとなり、スイングに対応してバランスが安定し、スイング効果が高まると瞬発力も高まる。
【００１８】
３、前記補助器の練習によって、効果的に運動知覚を改善しマッスルメモリーを強化し、各フォーム及び動作下での筋肉の正確な収縮方式を記憶の形に変換して頭に入れることによって良好なスイング基礎を固めることが可能である。
【００１９】
４、前記補助器の練習によって、身体全体の協調性、柔軟度およびリズム感を促進し、スイング動作を更に一致させ、且つスイング軌道を更に安定的にし、更にスムーズになり、ヘッド速度を更に速くし、効果的にショットの距離及び方向の正確性を高めることが可能である。
【００２０】
上記をまとめると、本発明の設計は所期の目的を確実に達成することが可能であり、大衆の消費使用に供することができ、実用的な価値を備えることに疑いの余地はなく、法律に基づき特許申請を提出する。
【００２１】
上記に記したことは、本発明の好ましい実施例に過ぎず、これによって本発明の実施範囲が限定されることはない。故に、本案特許申請の範囲及び特許明細書の内容に基づいて行われる簡単な変更及び修正もすべて、本案特許の範囲内に属するものとみなす。
【符号の説明】
【００２２】
１０    底板
１０ａ  プレート
１０ｂ  プレート
１１    外管
１２    内管
１３    つまみ
１４    平板
１５    角度の目盛り
２０    回転軸
２１    延伸バー
３０    打者
３１    シャフト
３２    ヘッド
【図１】
2019017979.tif 000003
【図２】
2019017979.tif 000004
【図３】
2019017979.tif 000005
【図４】
2019017979.tif 000006
【図５】
2019017979.tif 000007
【図６】
2019017979.tif 000008
【図７】
2019017979.tif 000009